(57)【特許請求の範囲】
【請求項１】
外筒と、該外筒内に配設された芯送り出し機構と、外筒内の芯送り出し機構よりも前方にあって芯を軽く保持する芯保持具と、を備え、該芯送り出し機構は、芯を締付けると共に外筒先端部に向けて芯を送り出すために外筒内で前後方向に移動する芯締付チャックを有するシャープペンシルにおいて、
前記外筒内には、芯締付チャックと芯保持具との間に、芯締付チャックに向けて後方へと常時付勢され、芯締付チャックと芯保持具の芯保持部分との間にある芯部分を保護するためのガイド部材が配設され、該ガイド部材は、芯の外周面を保護する互いに周方向に離間した複数の保護要素を有しており、隣り合う該保護要素の間に前記芯保持具の後端部が挿入可能となっていることを特徴とするシャープペンシル。
【請求項２】
外筒と、該外筒内に配設された芯送り出し機構と、外筒内の芯送り出し機構よりも前方にあって芯を軽く保持する芯保持具と、を備え、該芯送り出し機構は、芯を締付けると共に外筒先端部に向けて芯を送り出すために外筒内で前後方向に移動する芯締付チャックを有するシャープペンシルにおいて、
前記外筒内には、芯締付チャックと芯保持具との間に、芯締付チャックに向けて後方へと常時付勢され、芯締付チャックと芯保持具の芯保持部分との間にある芯部分を保護するためのガイド部材が配設され、該ガイド部材は、リング状の鍔部と、該鍔部から前方へと伸びる複数の挿入脚部とからなり、隣り合う該挿入脚部の間に前記芯保持具の後端部が挿入可能となっていることを特徴とするシャープペンシル。
【請求項３】
外筒と、該外筒内に配設された芯送り出し機構と、外筒内の芯送り出し機構よりも前方にあって芯を軽く保持する芯保持具と、を備え、該芯送り出し機構は、芯を締付けると共に外筒先端部に向けて芯を送り出すために外筒内で前後方向に移動する芯締付チャックを有するシャープペンシルにおいて、
前記外筒内には、芯締付チャックと芯保持具との間に、芯締付チャックに向けて後方へと常時付勢され、芯締付チャックと芯保持具の芯保持部分との間にある芯部分を保護するためのガイド部材が配設され、該ガイド部材は、リング状の鍔部と、鍔部よりも前方の筒状部とからなり、該筒状部の内周面には、周方向に離間して複数のリブが形成されており、隣り合う該リブの間に前記芯保持具の後端部が挿入可能となっていることを特徴とするシャープペンシル。
【請求項４】
外筒と、該外筒内に配設された芯送り出し機構と、外筒内の芯送り出し機構よりも前方にあって芯を軽く保持する芯保持具と、を備え、該芯送り出し機構は、芯を締付けると共に外筒先端部に向けて芯を送り出すために外筒内で前後方向に移動する芯締付チャックを有するシャープペンシルにおいて、
前記外筒内には、芯締付チャックと芯保持具との間に、芯締付チャックに向けて後方へと常時付勢され、芯締付チャックと芯保持具の芯保持部分との間にある芯部分を保護するためのガイド部材が配設され、前記芯保持具の後端部は、芯の外周面を保持する互いに周方向に離間した複数の保持要素を有しており、隣り合う該保持要素の間に前記ガイド部材の先端部が挿入可能となっていることを特徴とするシャープペンシル。
【請求項５】
外筒と、該外筒内に配設された芯送り出し機構と、外筒内の芯送り出し機構よりも前方にあって芯を軽く保持する芯保持具と、を備え、該芯送り出し機構は、芯を締付けると共に外筒先端部に向けて芯を送り出すために外筒内で前後方向に移動する芯締付チャックを有するシャープペンシルにおいて、
前記外筒内には、芯締付チャックと芯保持具との間に、芯締付チャックに向けて後方へと常時付勢され、芯締付チャックと芯保持具の芯保持部分との間にある芯部分を保護するためのガイド部材が配設され、前記芯保持具の後端部は、筒状部となっており、該筒状部の内周面には、周方向に離間して複数のリブが形成されており、隣り合うリブの間に前記ガイド部材の先端部が挿入可能となっていることを特徴とするシャープペンシル。
【請求項６】
外筒と、該外筒内に配設された芯送り出し機構と、外筒内の芯送り出し機構よりも前方にあって芯を軽く保持する芯保持具と、を備え、該芯送り出し機構は、芯を締付けると共に外筒先端部に向けて芯を送り出すために外筒内で前後方向に移動する芯締付チャックを有するシャープペンシルにおいて、
前記外筒内には、芯締付チャックと芯保持具との間に、芯締付チャックに向けて後方へと常時付勢され、芯締付チャックと芯保持具の芯保持部分との間にある芯部分を保護するためのガイド部材が配設され、前記芯保持具の後端部は、後方へと伸びる複数の挿入脚部を有し、隣り合う該挿入脚部の間に前記ガイド部材の先端部が挿入可能となっていることを特徴とするシャープペンシル。
【請求項７】
前記芯保持具の外周面には、外筒の内周面に弾接する突起が形成されることを特徴とする請求項１ないし６のいずれか１項に記載のシャープペンシル。
【請求項８】
前記芯保持具は、外筒内で前記ガイド部材によって前方へ押出されることが可能であり、筆記時前進位置に保持されることを特徴とする請求項１ないし７のいずれか１項に記載のシャープペンシル。
【請求項９】
前記芯保持具は、外筒内で動作時不動であることを特徴とする請求項１ないし６のいずれか１項に記載のシャープペンシル。
【発明の詳細な説明】
【０００１】
【発明の属する技術分野】
本発明は、外筒と、該外筒内に配設された芯送り出し機構と、外筒内の芯送り出し機構よりも前方にあって芯を軽く保持する芯保持具と、を備え、該芯送り出し機構は、芯を締付けると共に外筒先端部に向けて芯を送り出すために外筒内で前後方向に移動する芯締付チャックを有するシャープペンシルに関する。
【０００２】
【従来の技術】
従来、この種のシャープペンシルでは、一般的に芯締付チャックが複数のチャック要素を有しており、通常時は、芯を複数のチャック要素で把持することで、芯の締付けを行っている。外筒先端部には、シャープペンシルのタイプによっては、スライダー式の芯パイプが配設されており、外筒先端部に位置づけられる芯部分の周囲を包囲している。筆記を行うために芯を外筒先端部より突出させる必要がある場合、または、筆記により芯が消耗してさらに芯を外筒先端部より突出させる必要がある場合には、芯送り出し機構を作動させることにより、芯を前方へと送り出すことができる。より詳細には、芯締付チャックと、芯締付チャックを締付けるチャックリングとが芯と共に所定量前進し、さらに、芯締付チャックだけがチャックリングから解放されて前進して、芯締付チャックのチャック要素が芯を解放する。芯送り出し機構よりも前方にある芯保持具は、前進した芯を保持し、芯締付チャック及びチャックリングが元の位置へと後退して、再び芯締付チャックは芯を強固に保持する。こうして、芯が所定量だけ送り出される。また、このときに、スライダー式の芯パイプを有するシャープペンシルにおいて、芯パイプが外筒内に退没している場合には、芯締付チャックが前進したときに、芯締付チャックが芯保持具と芯パイプとを共に前方へ押圧させるようになっている。
【０００３】
【発明が解決しようとする課題】
このように、従来のシャープペンシルでは、芯締付チャックと芯保持具との間に、芯締付チャックが芯送り出しのために前進するための移動代が必要であり、その移動代の間は、空間部が生じてしまう。この空間部に破損した芯が侵入することができるため、その侵入した破損芯がさらに、芯締付チャックのチャック要素の間に入り込んだり、または、芯締付チャックと芯保持具との間に留まり、芯締付チャックが前進することができなくなったりして、作動ができない状態に至ってしまうという課題がある。
【０００４】
本発明はかかる課題に鑑みなされたもので、芯締付チャックと芯保持具との間にある芯を保護すると共に、その間に破損芯が入り込むことを防止することができるシャープペンシルを提供することをその目的とする。
【０００５】
【課題を解決するための手段】
上記目的を達成するために本発明は、外筒と、該外筒内に配設された芯送り出し機構と、外筒内の芯送り出し機構よりも前方にあって芯を軽く保持する芯保持具と、を備え、該芯送り出し機構は、芯を締付けると共に外筒先端部に向けて芯を送り出すために外筒内で前後方向に移動する芯締付チャックを有するシャープペンシルにおいて、
前記外筒内には、芯締付チャックと芯保持具との間に、芯締付チャックに向けて後方へと常時付勢され、芯締付チャックと芯保持具の芯保持部分との間にある芯部分を保護するためのガイド部材が配設されることを特徴とする。
【０００６】
芯締付チャックと芯保持具との間に配設されるガイド部材によって芯締付チャックよりも前方にある芯部分が保護されるために、芯締付チャックと芯保持具との間の空間において破損芯が詰まったりすることを防止して、作動不良の無いようにすることができる。ガイド部材は、常時、芯締付チャックに向けて後方に付勢されているために、ガイド部材と芯締付チャックとの間には常時軸方向に隙間のないようにして、芯締付チャックより前方の芯部分を確実に保護することができる。
【０００７】
また、前記ガイド部材の先端部と芯保持具の後端部は、常時、いずれか一方がいずれか他方内へと挿入されて、軸方向で重なり合うようにすることができる。ガイド部材の先端部と芯保持具の後端部とは、常時、軸方向に重なり合っているために、ガイド部材と芯保持具との間には、常時軸方向に隙間のないようにして、芯締付チャックと芯保持具との間にある芯部分を確実に保護することができる。
【０００８】
また、前記ガイド部材は、芯の外周面を保護する互いに周方向に離間した複数の保護要素を有しており、隣り合う該保護要素の間に前記芯保持具の後端部を挿入可能とすることができる。
【０００９】
また、前記ガイド部材は、リング状の鍔部と、該鍔部から前方へと伸びる複数の挿入脚部とからなり、隣り合う該挿入脚部の間に前記芯保持具の後端部を挿入可能とすることもできる。または、前記ガイド部材は、リング状の鍔部と、鍔部よりも前方の筒状部とからなり、該筒状部の内周面には、周方向に離間して複数のリブが形成されており、隣り合う該リブの間に前記芯保持具の後端部を挿入可能とすることもできる。
【００１０】
また、前記芯保持具の後端部は、芯の外周面を保持する互いに周方向に離間した複数の保持要素を有しており、隣り合う該保持要素の間に前記ガイド部材の先端部を挿入可能とすることができる。
【００１１】
また、前記芯保持具の後端部は、筒状部となっており、該筒状部の内周面には、周方向に離間して複数のリブが形成されており、隣り合うリブの間に前記ガイド部材の先端部を挿入可能とすることもできる。または、前記芯保持具の後端部は、後方へと伸びる複数の挿入脚部を有し、隣り合う該挿入脚部の間に前記ガイド部材の先端部を挿入可能とすることもできる。
【００１２】
前記芯保持具の外周面には、外筒の内周面に弾接する突起を形成することができる。これによって、芯保持具が外筒内との摩擦力によって、例えば、芯から受ける荷重によって簡単に動くことがないようにし、芯保持具が芯を確実に保持するようにすることができる。突起を芯保持具に一体に形成することで、部品点数及び組立の手数を低減することができる。
【００１３】
また、前記芯保持具は、外筒内で前記ガイド部材によって前方へ押出されることが可能であり、筆記時前進位置に保持されるように構成することができる。または、前記芯保持具は、外筒内で動作時不動であるように構成することができる。
【００１４】
【発明の実施の形態】
以下、図面を用いて本発明の実施の形態を説明する。
【００１５】
（第１実施形態）
図１は本発明のシャープペンシルの第１実施形態を表す全体縦断面図、図２はその要部断面図である。図において、符号１０はシャープペンシルであり、シャープペンシル１０は、外筒１２を備えている。外筒１２は、任意の構成とすることができるが、この実施形態のものは、先筒１４、後筒１５及び先具１６とから構成され、先筒１４と後筒１５及び先筒１４と先具１６はそれぞれ螺着によって互いに一体に結合されている。また、先筒１４の外周側には、弾性材１７が被着されている。
【００１６】
外筒１２内には、公知の芯送り出し機構２０が配設される。芯送り出し機構２０は、芯締付チャック２２と、芯締付チャック２２の外周側に配設されるチャックリング２３と、芯締付チャック２２の後端がその先端に圧入固定される芯タンク２４と、チャックリング２３の後方への移動を規制するスリーブ２６と、スリーブ２６と芯タンク２４との間にあって芯タンク２４及び芯締付チャック２２を後方へと付勢する弾性体であるチャックスプリング２８と、を有している。芯締付チャック２２は、芯送り出し機構２０の中の最も先端部に位置づけられており、芯締付チャック２２は、スリ割りにより分割された複数のチャック要素を有しており、これらの複数のチャック要素が芯４０の締付けを行うようになっている。また、芯締付チャック２２は、芯４０を所定量送り出すために前後方向に往復移動可能となっている。チャックリング２３は、通常は、芯締付チャック２２のチャック要素の外側を包囲して、チャック要素の広がりを防止しており、チャックリング２３とチャック要素とによって芯４０の締付けが行われる。一方、チャックリング２３は、所定量だけ芯締付チャック２２と共に前後方向に往復移動可能となっており、先具１６の内周面に形成された段部１６ｂによって、前方移動が規制されるようになっている。尚、先具１６の内周面の段部１６ｂよりも後方に形成された段部１６ｃには、スリーブ２６の先端が当接している。
【００１７】
先具１６の先端開口部１６ａには、先端チップ（または先端パイプ）３０が配設されており、この先端チップ３０は、先端開口部１６ａを通過する芯４０の部分を包囲して保護している。先端パイプ３０は、先具１６の先端開口部１６ａから出没可能となったスライダー式となっており、先端チップ３０が最大限、先具１６の先端開口部１６ａから突出した状態で、先端チップ３０の鍔部３０ａが先具１６の内周面の先端部にある段部１６ｅに係止している。先端チップ３０には、その後端側から芯保持具３２が嵌め込まれている。芯保持具３２は、先端チップ３０よりも後方へ伸びており、その内周面には、芯４０を保持するための後述の第１芯保持部３２ｃ及び第２芯保持部３２ｅが形成されている。
【００１８】
図７に示したように、詳細には芯保持具３２は、その後端部に形成された筒状部３２ａにおいて、複数（この例では３個）の縦スロット３２ｆが形成されており、縦スロット３２ｆの形成されていない部分の内周面に、内径方向に突出したリブ（保持要素）３２ｂが形成されている。リブ３２ｂの後端部の内周面には、さらに内径方向に突出して芯４０に当接する第１芯保持部３２ｃが形成されている。一方、芯保持具３２の先端部においては、その先端から後方へと伸びる複数（この例では２個）のスリット３２ｄが形成されており、スリット３２ｄの形成されていない部分の先端部の内周面には、内径方向に突出して芯４０に当接する第２芯保持部３２ｅが形成されている。第１芯保持部３２ｃ及び第２芯保持部３２ｅはそれぞれ縦スロット３２ｆ及びスリット３２ｄによって径方向に変形可能であり、弾力性を持って芯４０を保持することができるようになっている。
【００１９】
芯保持具３２と芯締付チャック２２との間には、芯４０を保持して、芯保持具３２と芯締付チャック２２との間にある芯４０の部分を保護するガイド部材であるガイドパイプ３４が配設される。図８に示すように、詳細にはガイドパイプ３４は、略リング状をした鍔部３４ａと、鍔部３４ａから前方へと伸びて、前記芯保持具３２の隣り合うリブ３２ｂの間に挿入可能となった複数の挿入脚部（保護要素）３４ｂとを有している。挿入脚部３４ｂの先端部の外周面には、抜け止め突起３４ｃが形成されており、この抜け止め突起３４ｃは、芯保持具３２の前記縦スロット３２ｆに嵌め込まれる。
【００２０】
ガイドパイプ３４と、先具１６の前述の段部１６ｂよりも前方に形成された段部１６ｄとの間には、リターンスプリング３６が介挿されており、このリターンスプリング３６によってガイドパイプ３４は、常時後方へと付勢され、よって、ガイドパイプ３４の鍔部３４ａは、芯締付チャック２２の先端面に当接している。
【００２１】
また、先端チップ３０の後端面と、芯保持具３２の中間外周面との間には、Ｏリング３８が介挿されており、Ｏリング３８は、先具１６の内周面に弾接される。
【００２２】
以上の先端チップ３０、芯保持具３２、ガイドパイプ３４、リターンスプリング３６及びＯリング３８を組み付けるには、図９に示すように、Ｏリング３８を挟んで、先端チップ３０の後部に芯保持具３２を挿入し、次いで、リターンスプリング３６を先端チップ３０の先方から外挿し、同時に、ガイドパイプ３４の挿入脚部３４ｂを、芯保持具３２の隣り合うリブ３２ｂの間に挿入し、また、抜け止め突起３４ｃを芯保持具３２の縦スリット３２ｆに嵌め入れる。こうして、組み立てられたユニットを先具１６の後方から挿入して、先端チップ３０の鍔部３０ａを段部１６ｅに係止させ、リターンスプリング３６の前端を先具１６の段部１６ｄに係止させる。リターンスプリング３６のバネ力によって、ガイドパイプ３４は、後方へと押圧されるが、ガイドパイプ３４の抜け止め突起３４ｃが芯保持具３２の縦スロット３２ｆの後端部に係止するため、ガイドパイプ３４が抜け落ちることはない。
【００２３】
さらに、先具１６に芯送り出し機構２０の先端部が挿入されて、先具１６と先筒１４とが結合されて、先筒１４と後筒１５とが結合され、さらに、芯送り出し機構２０の芯タンク２４に図示しない公知のノックキャップが着脱可能に結合されて、全体の組立が終了する。
【００２４】
以上のように構成されるシャープペンシル１０の作用を次に説明する。
【００２５】
図２は、非筆記時、先端チップ３０が先具１６内に退没している状態を示している。この状態においては、芯締付チャック２２より先端側の芯４０の部分は、芯保持具３２のリブ３２ｂと、ガイドパイプ３４の挿入脚部３４ｂとに包囲されており、保護されている。
【００２６】
この図２の状態から、図示しないノックキャップを前方に向けてノックして、芯送り出し機構２０を作動させる。すると、芯タンク２４及び芯締付チャック２２が前進して、図３に示すように、芯締付チャック２２がリターンスプリング３６の付勢力に抗して、ガイドパイプ３４を前方へと押圧するので、ガイドパイプ３４の鍔部３４ａが芯保持具３２を前方へと押圧し、先端チップ３０の先端部が先具１６の先端開口部１６ａから突出する。このとき、ガイドパイプ３４の挿入脚部３４ｂは、芯保持具３２の隣り合うリブ３２ｂの間に挿入するので、ガイドパイプ３４が前進したときに、その挿入脚部３４ｂが芯保持具３２と干渉して邪魔をすることはない。芯締付チャック２２より先端側の芯４０の部分は、図５に示すように、ガイドパイプ３４の挿入脚部３４ｂと、芯保持具３２のリブ３２ｂとによって全周に渡って包囲されて、保護される。
【００２７】
前方へと押圧された芯保持具３２は、Ｏリング３８との間で発生する摩擦力によって、先端チップ３０及び芯保持具３２は、前進した位置を維持する。また、芯締付チャック２２が前進するのと共にチャックリング２３が段部１６ｂに当接するまで一緒に前進し、芯４０が前進すると共に、その後、芯締付チャック２２のみが前進すると、芯４０が芯締付チャック２２の締付から解放される。
【００２８】
ノックキャップへのノック力を解除すると、チャックスプリング２８の付勢力により、芯締付チャック２２、芯タンク２４及びチャックリング２３は、元の位置へと後退する。また、ガイドパイプ３４もリターンスプリング３６によって、芯締付チャック２２の後退に追随する。このときに、芯保持具３２の第１芯保持部３２ｃと第２芯保持部３２ｅとが芯４０を保持しているために、芯４０は後退せずに、前進した状態を維持する。またこのときに、芯保持具３２は、Ｏリング３８の摩擦力により前進した位置を維持するために、芯４０と共に後退することはない。こうして、芯４０及び先端チップ３０が、送り出されて再び芯締付チャック２２によって締付けられて、図４に示す筆記可能状態となる。
【００２９】
図４の状態では、芯保持具３２の第１芯保持部３２ｃと芯締付チャック２２との間に軸方向の空間が生じるが、この空間に、ガイドパイプ３４が配設されており、そのガイドパイプ３４の複数の挿入脚部３４ｂが芯４０の外周を包囲しているために（図６参照）、芯４０が保護されて折れにくくなると共に、芯が折れたとしても、その破損芯がこの間の空間で詰まることを防止することができる。こうして、芯詰まりによる作動不良の無い製品とすることができる。ガイドパイプ３４を追加するだけでよいために、部品点数の増加が少なく、その組立も容易である。また、非常に短い芯が芯締付チャック２２に締付されている場合においても、芯送り出し時に、芯締付チャック２２のチャック要素が芯を解放したときの、複数のチャック要素で画成される孔径よりもやや大きい長さ以上の芯であれば、芯が横にならずに、ガイドパイプ３４に誘導されて、送り出し可能となる。また、芯締付チャック２２と芯保持具３２の第１保持部３２ｃとの間の長さよりも短い芯が、芯締付チャック２２から送り出された場合でも、ガイドパイプ３４に誘導されて、真っ直ぐに、芯保持具３２の第１保持部３２ｃへと進むことができるため、このような短い芯も有効に使用することができて、残芯量を少なくすることもできる。
【００３０】
（第２実施形態）
次に、図１０及び図１１は、本発明の第２実施形態を表す図である。図において、図示しない部分は、第１実施形態とほぼ同様である。また、第１実施形態と同一の部品は同一の符号を付し、その詳細説明を省略する。
【００３１】
この実施形態では、第１実施形態のＯリング３８を設ける代わりに、芯保持具３２−１の外周面に外径方向に突出する突起３２ｇを形成してＯリング３８の代わりとしたものである。このために、芯保持具３２−１は、軟質材料で構成されると好ましい。こうして、部品点数及び組立の手数を低減することができる。
【００３２】
（第３実施形態）
次に、図１２及び図１３は、本発明の第３実施形態を表す図である。図において、図示しない部分は、第１実施形態とほぼ同様である。また、第１実施形態と同一の部品は同一の符号を付し、その詳細説明を省略する。
【００３３】
この実施形態の芯保持具３２−２と、ガイドパイプ３４−２の構成が第１実施形態と異なっている。図１５に示したように、芯保持具３２−２の中央部に鍔部３２ｈが形成されており、鍔部３２ｈから後方へと複数の挿入脚部（保持要素）３２ｉが伸びている。そして、挿入脚部３２ｉの後端部の内周面に第１芯保持部３２ｃが形成されている。
【００３４】
一方、図１６に示すように、ガイドパイプ３４−２の鍔部３４ａよりも前側は、挿入脚部ではなく全体的に筒状形をなしており、その内周面に、周方向に離間してない径方向に突出した複数（この例では３個）のリブ（保護要素）３４ｄが形成されている。この隣り合うリブ３４ｄの間に、前記挿入脚部３２ｉが挿入可能となっている。
【００３５】
図１２は、図示しないノックキャップを前方に向けてノックした状態を表しており、第１実施形態と同様に、芯タンク２４及び芯締付チャック２２が前進して、ガイドパイプ３４−２の前端または鍔部３４ａが、芯保持具３２−２を前方へと押圧する。このとき、ガイドパイプ３４−２の隣り合うリブ３４ｄの間には、芯保持具３２−２の挿入脚部３２ｉが挿入されるために、ガイドパイプ３４−２のリブ３４ｄが芯保持具３２−２と干渉して邪魔をすることはない。芯締付チャック２２より先端側の芯４０の部分は、ガイドパイプ３４−２のリブ３４ｄと、芯保持具３２−２の挿入脚部３２ｉとによって全周に渡って包囲されて、保護される。
【００３６】
また、ノックキャップのノック力を解除すると、図１３に示すように、芯締付チャック２２、芯タンク２４及びチャックリング２３は、元の位置へと後退すると共に、ガイドパイプ３４−２が芯締付チャック２２の後退に追随する。芯保持具３２−２の第１芯保持部３２ｃと芯締付チャック２２との間に軸方向の空間が生じるが、この空間に、ガイドパイプ３４−２が配設されており、そのガイドパイプ３４−２の複数のリブ３４ｄが芯４０の外周を包囲しているために、芯４０が保護されると共に、破損芯がこの間の空間に留まることを防止することができる。
【００３７】
こうして、この実施形態でも第１実施形態と同様の効果が得られる。
【００３８】
（第４実施形態）
次に、図１７及び図１８は、本発明の第４実施形態を表す図である。図において、図示しない部分は、第３実施形態とほぼ同様である。また、第３実施形態と同一の部品は同一の符号を付し、その詳細説明を省略する。
【００３９】
この実施形態では、第３実施形態の先端チップ３０の後端面と、芯保持具３２−２の中間外周面との間に介挿されていたＯリング３８が省略されている。
【００４０】
即ち、この実施形態では、第３実施形態のＯリング３８を設ける代わりに、芯保持具３２−３の外周面に外径方向に突出する突起３２ｇを形成してＯリング３８の代わりとしたものである。このために、芯保持具３２−３は、軟質材料で構成されると好ましい。こうして、部品点数及び組立の手数を低減することができる。
【００４１】
（第５実施形態）
次に、図１９及び図２０は、本発明の第５実施形態を表す図である。図において、図示しない部分は、第１実施形態とほぼ同様である。また、第１実施形態と同一の部品は同一の符号を付し、その詳細説明を省略する。
【００４２】
この実施形態では、先端が固定式となっているため、先端チップ３０が省略されて、芯保持具３２も先具１６内で不動となっている点で、第１実施形態と異なっている。
【００４３】
図１９は、図示しないノックキャップを前方に向けてノックした状態を表しており、第１実施形態と同様に、芯タンク２４及び芯締付チャック２２が前進している。このとき、ガイドパイプ３４の挿入脚部３４ｂは、芯保持具３２の隣り合うリブ３２ｂの間に挿入するので、ガイドパイプ３４が前進したときに、その挿入脚部３４ｂが芯保持具３２と干渉して邪魔をすることはない。芯締付チャック２２より先端側の芯４０の部分は、ガイドパイプ３４の挿入脚部３４ｂと、芯保持具３２のリブ３２ｂとによって全周に渡って包囲されて、保護される。
【００４４】
ノックキャップへのノック力を解除すると、チャックスプリング２８の付勢力により、芯締付チャック２２、芯タンク２４及びチャックリング２３は、元の位置へと後退する。また、ガイドパイプ３４もリターンスプリング３６によって、芯締付チャック２２の後退に追随する。このときに、芯保持具３２の第１芯保持部３２ｃと第２芯保持部３２ｅとが芯４０を保持しているために、芯４０は後退せずに、前進した状態を維持する。こうして、芯４０が、送り出されて再び芯締付チャック２２によって締付けられて、図２０に示す筆記可能状態となる。
【００４５】
図２０の状態では、芯保持具３２の第１芯保持部３２ｃと芯締付チャック２２との間に軸方向の空間が生じるが、この空間に、ガイドパイプ３４が配設されており、そのガイドパイプ３４の複数の挿入脚部３４ｂが芯４０の外周を包囲しているために、芯４０が保護されると共に、破損芯がこの間の空間に留まることを防止することができる。
【００４６】
こうして、この実施形態でも第１実施形態と同様の効果が得られる。
【００４７】
以上説明した実施形態の他に、ガイドパイプの先端部及び芯保持具の後端部を両方ともに、複数の挿入脚部を有するようにし、互いの挿入脚部を、ガイドパイプと芯保持具のいずれか一方の挿入脚部を他方の隣り合う挿入脚部の間に挿入するようにして、交互に配置することも可能である。
【００４８】
【発明の効果】
以上説明したように、本発明によれば、芯締付チャックと芯保持具との間に配設されるガイド部材によって芯締付チャックよりも前方にある芯部分が保護されるために、芯締付チャックと芯保持具との間の空間における芯の折れを防止すると共に、芯が折れたとしても破損芯が詰まったりすることを防止して、作動不良の無いシャープペンシルとすることができる。部品点数を最小限度に抑え、効果絶大な構成で実現することができる。
【図面の簡単な説明】
【図１】本発明のシャープペンシルの第１実施形態を表す縦断面図である。
【図２】第１実施形態の要部断面図であり、先端チップ及び芯が先具内に退没した非筆記時の状態を表している。
【図３】第１実施形態の要部断面図であり、芯送り出し機構を作動させた状態を表している。
【図４】第１実施形態の要部断面図であり、先端チップの先端部及び芯の先端が先具の先端開口部から突出した筆記可能状態を表している。
【図５】図３の５−５線に沿って見た断面図である。
【図６】図４の６−６線に沿って見た断面図である。
【図７】（ａ）は第１実施形態の芯保持具の側面図、（ｂ）は（ａ）の矢印７ｂから見た矢視図、（ｃ）は（ｂ）の７ｃ−７ｃ線に沿って見た断面図である。
【図８】（ａ）は第１実施形態のガイドパイプの側面図、（ｂ）は（ａ）の矢印８ｂから見た矢視図、（ｃ）は（ｂ）の８ｃ−８ｃ線に沿って見た断面図である。
【図９】（ａ）〜（ｃ）は先端チップ、芯保持具、ガイドパイプ、リターンスプリング及びＯリングを組み付ける手順を表す図である。
【図１０】本発明の第２実施形態を表す要部断面図であり、先端チップの先端部及び芯の先端が先具の先端開口部から突出した筆記可能状態を表している。
【図１１】（ａ）は第２実施形態の芯保持具の側面図、（ｂ）は（ａ）の矢印１１ｂから見た矢視図、（ｃ）は（ｂ）の１１ｃ−１１ｃ線に沿って見た断面図である。
【図１２】本発明の第３実施形態を表す要部断面図であり、芯送り出し機構を作動させた状態を表している。
【図１３】第３実施形態の要部断面図であり、先端チップの先端部及び芯の先端が先具の先端開口部から突出した筆記可能状態を表している。
【図１４】図１３の１４−１４線に沿って見た断面図である。
【図１５】（ａ）は第３実施形態の芯保持具の側面図、（ｂ）は（ａ）の矢印１５ｂから見た矢視図、（ｃ）は（ｂ）の１５ｃ−１５ｃ線に沿って見た断面図である。
【図１６】（ａ）は第３実施形態のガイドパイプの側面図、（ｂ）は（ａ）の縦断面図、（ｃ）は（ｂ）の１６ｃ−１６ｃ線に沿って見た横断面図である。
【図１７】本発明の第４実施形態を表す要部断面図であり、先端チップの先端部及び芯の先端が先具の先端開口部から突出した筆記可能状態を表している。
【図１８】（ａ）は第４実施形態の芯保持具の側面図、（ｂ）は（ａ）の矢印１８ｂから見た矢視図、（ｃ）は（ａ）の１８ｃ−１８ｃ線に沿って見た断面図である。
【図１９】第５実施形態の要部断面図であり、芯送り出し機構を作動させた状態を表している。
【図２０】第５実施形態の要部断面図であり、芯の先端が先具の先端開口部から突出した筆記可能状態を表している。
【符号の説明】
１０  シャープペンシル
１２  外筒
１６ａ  先端開口部
２０  芯送り出し機構
２２  芯締付チャック
３２、３２−１、３２−２、３２−３  芯保持具
３２ｂ  リブ（保持要素）
３２ｃ  第１芯保持部
３２ｅ  第２芯保持部
３２ｉ  挿入脚部（保持要素）
３４、３４−２  ガイドパイプ（ガイド部材）
３４ａ  鍔部
３４ｂ  挿入脚部（保護要素）
３４ｄ  リブ（保護要素）
【図１】
0003933896.tif 000002
【図２】
0003933896.tif 000003
【図３】
0003933896.tif 000004
【図４】
0003933896.tif 000005
【図５】
0003933896.tif 000006
【図６】
0003933896.tif 000007
【図７】
0003933896.tif 000008
【図８】
0003933896.tif 000009
【図９】
0003933896.tif 000010
【図１０】
0003933896.tif 000011
【図１１】
0003933896.tif 000012
【図１２】
0003933896.tif 000013
【図１３】
0003933896.tif 000014
【図１４】
0003933896.tif 000015
【図１５】
0003933896.tif 000016
【図１６】
0003933896.tif 000017
【図１７】
0003933896.tif 000018
【図１８】
0003933896.tif 000019
【図１９】
0003933896.tif 000020
【図２０】
0003933896.tif 000021